【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
所定の入力情報に基づいて列車の運転操作を決定する列車システムに対して、前記所定の入力情報の１つを構成する、運転操作の判定基準を提供する運転操作判定テーブルデータ情報を提供する列車運転支援装置であって、
前記列車が走行する対象区間全体に関する位置、速度およびテーブル値の組み合わせの情報を有する定速テーブル情報および惰行テーブル情報を全体テーブル情報として作成する全体テーブル作成部と、
前記全体テーブル情報から、前記列車の走行に影響を与える外的要因の変動範囲内で運転操作の切替が行われる領域の定速テーブル情報および惰行テーブル情報を限定し、該限定した定速テーブル情報および惰行テーブル情報を前記運転操作判定テーブルデータ情報として出力するテーブル領域限定部と、
を備えることを特徴とする列車運転支援装置。
【請求項２】
前記テーブル領域限定部は、前記列車システムにおいて運転操作を決定するために用いられるアルゴリズムと同様のアルゴリズムを用いてシミュレーションを行うことによって、前記全体テーブル情報から限定した前記運転操作判定テーブルデータ情報を作成する
ことを特徴とする請求項１に記載の列車運転支援装置。
【請求項３】
前記列車システムにおいて決定された運転操作を示す運転操作情報に基づいて、前記列車の走行に関する情報を表示する表示部をさらに備える
ことを特徴とする請求項１に記載の列車運転支援装置。
【請求項４】
列車の運転操作を支援する列車運転支援システムであって、
前記列車の位置を示す列車位置情報を出力する列車位置検出部と、
前記列車の速度を示す列車速度情報を出力する列車速度検出部と、
前記列車の走行に影響を与える外的要因の変動範囲を定めた外的要因範囲情報に基づいて、前記列車の位置及び前記列車の速度ごとに運転操作の判定基準を提供する運転操作判定テーブルデータ情報を作成及び出力する運転操作判定テーブルデータ作成部と、
前記列車位置情報、前記列車速度情報、及び前記運転操作判定テーブルデータ情報に基づいて、運転操作を決定する運転操作決定部と、
を備え、
前記運転操作判定テーブルデータ作成部は、
前記列車が走行する対象区間全体に関するテーブル情報によって全体テーブル情報を作成する全体テーブル作成部と、
前記全体テーブル情報から前記外的要因の変動範囲内で運転操作の切替が行われる領域のテーブル情報を限定し、該限定したテーブル情報を前記運転操作判定テーブルデータ情報として出力するテーブル領域限定部と、を有する
ことを特徴とする列車運転支援システム。
【請求項５】
前記運転操作判定テーブルデータ作成部の前記テーブル領域限定部は、前記運転操作決定部が運転操作を決定するために用いるアルゴリズムと同様のアルゴリズムを用いてシミュレーションを行うことによって、前記全体テーブル情報から限定した前記運転操作判定テーブルデータ情報を作成する
ことを特徴とする請求項４に記載の列車運転支援システム。
【請求項６】
前記運転操作決定部によって決定された運転操作を示す運転操作情報に基づいて、前記列車の走行に関する情報を表示する表示部をさらに備える
ことを特徴とする請求項４に記載の列車運転支援システム。
【請求項７】
前記運転操作決定部によって決定された運転操作を示す運転操作情報に基づいて、前記列車の駆動制御を行う駆動制御部をさらに備える
ことを特徴とする請求項４に記載の列車運転支援システム。
【請求項８】
前記運転操作判定テーブルデータ情報及び前記全体テーブル情報には、前記列車の速度を維持して走行させる定速運転に関する定速テーブル情報と、前記列車を惰性で走行させる惰行運転に関する惰行テーブル情報と、が含まれる
ことを特徴とする請求項４に記載の列車運転支援システム。
【請求項９】
前記外的要因範囲情報には、乗車率の変動に関する情報が含まれる
ことを特徴とする請求項４に記載の列車運転支援システム。
【請求項１０】
前記外的要因範囲情報には、架線電圧の変動に関する情報が含まれる
ことを特徴とする請求項４に記載の列車運転支援システム。
【請求項１１】
列車の運転操作を支援する列車運転支援システムによる列車運転支援方法であって、
前記列車の位置を示す列車位置情報を出力する列車位置検出ステップと、
前記列車の速度を示す列車速度情報を出力する列車速度検出ステップと、
前記列車の走行に影響を与える外的要因の変動範囲を定めた外的要因範囲情報に基づいて、前記列車の位置及び前記列車の速度ごとに運転操作の判定基準を提供する運転操作判定テーブルデータ情報を作成及び出力する運転操作判定テーブルデータ作成ステップと、
前記列車位置情報、前記列車速度情報、及び前記運転操作判定テーブルデータ情報に基づいて、運転操作を決定する運転操作決定ステップと、
を備え、
前記運転操作判定テーブルデータ作成ステップは、
前記列車が走行する対象区間全体に関するテーブル情報によって全体テーブル情報を作成する全体テーブル作成ステップと、
前記全体テーブル情報から前記外的要因の変動範囲内で運転操作の切替が行われる領域のテーブル情報を限定し、該限定したテーブル情報を前記運転操作判定テーブルデータ情報として出力するテーブル領域限定ステップと、を含む
ことを特徴とする列車運転支援方法。
【請求項１２】
前記テーブル領域限定ステップでは、前記運転操作決定ステップにおいて運転操作を決定するために用いるアルゴリズムと同様のアルゴリズムを用いてシミュレーションを行うことによって、前記全体テーブル情報から限定した前記運転操作判定テーブルデータ情報を作成する
ことを特徴とする請求項１１に記載の列車運転支援方法。
【請求項１３】
前記運転操作決定ステップで決定された運転操作を示す運転操作情報に基づいて、前記列車の走行に関する情報を所定の表示器に表示する表示ステップをさらに備える
ことを特徴とする請求項１１に記載の列車運転支援方法。
【請求項１４】
前記運転操作決定ステップで決定された運転操作を示す運転操作情報に基づいて、前記列車の駆動制御を行う駆動制御ステップをさらに備える
ことを特徴とする請求項１１に記載の列車運転支援方法。
【請求項１５】
前記運転操作判定テーブルデータ情報及び前記全体テーブル情報には、前記列車の速度を維持して走行させる定速運転に関する定速テーブル情報と、前記列車を惰性で走行させる惰行運転に関する惰行テーブル情報と、が含まれる
ことを特徴とする請求項１１に記載の列車運転支援方法。
【手続補正２】
【補正対象書類名】明細書
【補正対象項目名】００１０
【補正方法】変更
【補正の内容】
【００１０】
かかる課題を解決するため本発明においては、所定の入力情報に基づいて列車の運転操作を決定する列車システムに対して、所定の入力情報の１つを構成する、運転操作の判定基準を提供する運転操作判定テーブルデータ情報を提供する列車運転支援装置であって、列車が走行する対象区間全体に関する位置、速度およびテーブル値の組み合わせの情報を有する定速テーブル情報および惰行テーブル情報を全体テーブル情報として作成する全体テーブル作成部と、全体テーブル情報から、列車の走行に影響を与える外的要因の変動範囲内で運転操作の切替が行われる領域の定速テーブル情報および惰行テーブル情報を限定し、該限定した定速テーブル情報および惰行テーブル情報を運転操作判定テーブルデータ情報として出力するテーブル領域限定部と、を備えることを特徴とする列車運転支援装置が提供される。